(57)【特許請求の範囲】
【請求項１】
媒体に対して液体を噴射する複数のノズルが設けられる噴射面を備えた液体噴射ヘッドと、
前記噴射面に対向する対向面を有し、前記噴射面と前記対向面との間を通るように、第１の方向へ向けて前記媒体を搬送する搬送機構と、
前記噴射面から突出し、前記第１の方向に直交する第２の方向に沿って配置される複数の突起部と、
前記対向面から突出して、搬送される前記媒体を支持し、前記第２の方向に沿って配置される複数の支持部と、を備え、
前記突起部は、前記第１の方向および前記第２の方向に対して傾斜した第３の方向に長尺であり、
前記噴射面に対して垂直な方向である第４の方向から見て、前記突起部は少なくとも、互いに隣合う前記支持部の中間以外の位置と重なる部位を有する、
液体噴射装置。
【請求項２】
前記第２の方向における前記支持部の間隔は、前記第２の方向における前記突起部の間隔よりも広い、
請求項１に記載の液体噴射装置。
【請求項３】
前記支持部が前記対向面から突出する高さは、前記突起部が前記噴射面から突出する高さよりも高い、
請求項１または請求項２に記載の液体噴射装置。
【請求項４】
前記第１の方向において、前記支持部が設けられた領域は、前記突起部が設けられた領域を包含する、
請求項１から請求項３のうち何れか一項に記載の液体噴射装置。
【請求項５】
前記第４の方向から見て、前記突起部が、前記支持部が配置された位置と重なる部位を有する、
請求項１から請求項４のうち何れか一項に記載の液体噴射装置。
【請求項６】
前記第４の方向から見て、前記支持部と重なる前記突起部の部位は、前記第１の方向の上流側に寄っている、
請求項５記載の液体噴射装置。
【請求項７】
前記支持部は、前記第４の方向から見て、複数の前記突起部と重なる、
請求項１から請求項６のうち何れか一項に記載の液体噴射装置。
【請求項８】
前記支持部は、前記第１の方向に長尺である、
請求項１から請求項７のうち何れか一項に記載の液体噴射装置。
【発明の詳細な説明】
【技術分野】
【０００１】
本発明は、インク等の液体を噴射する技術に関する。
【背景技術】
【０００２】
インクジェットプリンタなどの液体噴射装置では、液体噴射ヘッドからインク等の液体を印刷用紙等の媒体に向けて噴射させる。このとき、用紙は液体によって膨潤し、用紙表面が山部と谷部を有するように波打つコックリングと呼ばれる現象が発生することがある。例えば特許文献１には、液体噴射ヘッドの液体の噴射面に対向するプラテンに複数のリブを、用紙送りローラーとの位置関係も考慮しながら規則的なピッチで配置する構成が開示されている。このようなプラテンのリブで支持されるように上記ローラーで用紙を搬送することによって、コックリング周期（山部と谷部の周期）がリブのピッチに合うように用紙を癖づけることができるので、用紙の過度なコックリングが抑制される。
【先行技術文献】
【特許文献】
【０００３】
【特許文献１】特開２００２−５２７７１号公報
【発明の概要】
【発明が解決しようとする課題】
【０００４】
ところで、液体噴射ヘッドとプラテンとの間には、先端部がカールしている用紙が搬送される場合がある。この場合には、特許文献１のようにプラテンのリブを規則的に配置して用紙のコックリング周期をリブのピッチに合わせたとしても、用紙の先端部がカールしていると、用紙の先端部はコックリングしたまま浮き上がってしまう。このため、用紙の浮き上がりが大きいと、用紙の先端が液体噴射ヘッドの噴射面に接触して、噴射面に残留するインクが付着してしまう虞がある。以上の事情を考慮して、本発明は、媒体の浮き上がりを抑制し、噴射面に対する媒体の接触を抑制することを目的とする。
【課題を解決するための手段】
【０００５】
［態様１］
以上の課題を解決するために、本発明の好適な態様（態様１）に係る液体噴射装置は、媒体に対して液体を噴射する複数のノズルが設けられる噴射面を備えた液体噴射ヘッドと、噴射面に対向する対向面を有し、噴射面と対向面との間を通るように、第１の方向へ媒体を搬送する搬送機構と、噴射面から突出し、第１の方向に交差する第２の方向に沿って配置される複数の突起部と、対向面から突出して、搬送される媒体を支持し、第２の方向に沿って配置される複数の支持部とを備え、突起部は少なくとも、互いに隣合う支持部の中間以外の位置と重なる部位を有する。態様１では、液体噴射ヘッドの噴射面から突出し、第１の方向に交差（直交又は傾斜）する第２の方向に沿って配置される複数の突起部と、搬送機構の対向面から突出して、搬送される媒体を支持し、第２の方向に沿って配置される複数の支持部とを備えるから、媒体が支持部に支持されながら、その支持部と噴射面の突起部との間に搬送される。これによれば、支持部と突起部とで媒体の浮き上がりを抑制できるので、媒体が噴射面に接触することを抑制できる。これにより、噴射面に残留する液体が媒体に付着することを抑制できる。
【０００６】
また、態様１では、突出した支持部に支持されながら媒体が搬送されるから、媒体が支持部によって波打つように癖付けされる。このとき、媒体の支持部上の部位は波打ち形状（コックリング形状）の山部となり、隣合う支持部の中間の部位は波打ち形状の谷部となる。この点、態様１では、突起部は少なくとも、互いに隣合う支持部の中間以外の位置と重なる部位を有するから、媒体がカールした場合でも、突起部には、媒体の波打ち形状の谷部ではなく、谷部以外の部分（例えば媒体の山部やその近傍）が接触して、媒体が噴射面まで届かないようにすることができる。これによれば、媒体がカールしたときに噴射面に接触し易い媒体の波打ち形状の山部やその近傍の浮き上がりを、突起部で的確に抑えることができる。これにより、例えば突起部が、隣合う支持部の中間部の位置のみと重なる場合（突起部が媒体の波打ち形状の谷部のみと重なる場合）に比較して、媒体の浮き上がりを効果的に抑えることができるので、噴射面への媒体の接触を抑制する効果を高めることができる。
【０００７】
［態様２］
態様１の好適例（態様２）において、第２の方向における支持部の間隔は、第２の方向における突起部の間隔よりも広い。態様２では、第２の方向における支持部の間隔は、第２の方向における突起部の間隔よりも広いから、媒体が接触する支持部の数を少なくできるので、支持部上を搬送される媒体が支持部との接触抵抗によって搬送性が低下することを抑制できる。また、突起部の数が支持部よりも多くなるので、支持部により癖付けされた媒体の波打ち形状の山部に対して突起部の数を多くすることができる。これにより、突起部が媒体の波打ち形状の山部に接触する部分も多くなるので、噴射面への媒体の接触を抑制する効果を高めることができる。
【０００８】
［態様３］
態様１または態様２の好適例（態様３）において、支持部が対向面から突出する高さは、突起部が噴射面から突出する高さよりも高い。態様２では、支持部が対向面から突出する高さは、突起部が噴射面から突出する高さよりも高いから、媒体の波打ち形状の山部と谷部をしっかり作ることができ、媒体を癖付けし易くなる。また、突起部の高さが低いと、媒体と噴射面との間隔を狭くすることができる。これにより、噴射された液体の着弾位置ずれを低減できるので、印刷画質の劣化を低減できる。
【０００９】
［態様４］
態様１から態様３の何れかの好適例（態様４）において、第１の方向において支持部が設けられた領域は、突起部が設けられた領域を包含する。態様４では、第１の方向において、支持部が設けられた領域は、突起部が設けられた領域を包含するから、媒体が搬送される第１の方向の上流側（媒体が突起部の領域に入る部分）と下流側（媒体が突起部の領域から出る部分）においても、支持部により媒体の癖付けを効果的に行うことができる。
【００１０】
［態様５］
態様１から態様３の何れかの好適例（態様５）において、第２の方向において、突起部が、支持部が配置された位置と重なる部位を有する。態様５では、第２の方向において、突起部が、支持部が配置された位置と重なる部位を有するから、媒体がカールした場合でも、突起部には、第２の方向において媒体の波打ち形状の媒体の山部が接触して、媒体が噴射面まで届かないようにすることができる。このように、媒体がカールしたときに噴射面に接触し易い媒体の波打ち形状の山部の浮き上がりを、突起部で的確に抑えることができる。これにより、媒体の浮き上がりを効果的に抑えることができるので、噴射面への媒体の接触を抑制する効果をより高めることができる。
【００１１】
［態様６］
態様５の好適例（態様６）において、第２の方向において支持部と重なる突起部の部位は、第１の方向の上流側に寄っている。態様６では、第２の方向において支持部と重なる突起部の部位は、第１の方向の上流側に寄っているから、媒体が突起部以外の噴射面に接触することを早期に抑制できる。
【００１２】
［態様７］
態様１から態様６の何れかの好適例（態様７）において、突起部は、第１の方向に対して傾斜して配置される。態様６では、突起部は第１の方向に対して傾斜して配置されるから、突起部が第１の方向に対して平行に配置される場合に比較して、突起部全体の設置領域（設置面積）を搬送方向において小さくしつつ、突起部が媒体に触れ易くすることができる。
【００１３】
［態様８］
態様１から態様７の何れかの好適例（態様８）において、支持部は、第１の方向に対して平行に配置される。態様８では、支持部は、第１の方向に対して平行に配置されるから、媒体の癖付けが容易となり、搬送される媒体が搬送方向に対して傾斜した方向に進行（斜行）斜行し難くなる。液体噴射装置の好適例は、印刷用紙等の媒体にインクを噴射する印刷装置であるが、本発明に係る液体噴射装置の用途は印刷に限定されない。
【図面の簡単な説明】
【００１４】
【図１】本発明の第１実施形態に係る液体噴射装置を適用した印刷装置の構成図である。
【図２】図１に示す印刷装置の動作説明図であって、媒体の搬送に着目したものである。
【図３】図２に示す印刷装置の一部を拡大した斜視図であって、プラテンのリブと媒体との関係を説明するための図である。
【図４】第１実施形態における液体噴射ヘッドの噴射面の具体的構成例を示す平面図である。
【図５】第１実施形態における液体噴射ヘッドの噴射面とプラテンの対向面との構成を説明するための図であって、液体噴射ヘッドの突起部とプラテンのリブとの関係を示す断面図である。
【図６】図５に示すＡ−Ａ断面図である。
【図７】第１実施形態の変形例における液体噴射ヘッドの噴射面とプラテンの対向面との構成を示す図である。
【図８】第１実施形態の他の変形例における液体噴射ヘッドの噴射面とプラテンの対向面との構成を示す図である。
【図９】本発明の第２実施形態における液体噴射装置における液体噴射ヘッドの噴射面とプラテンの対向面との構成を示す図である。
【図１０】本発明の第３実施形態における液体噴射ヘッドの噴射面とプラテンの対向面との構成を示す図である。
【発明を実施するための形態】
【００１５】
＜第１実施形態＞
先ず、本発明の第１実施形態に係る液体噴射装置について、インクジェット方式の印刷装置を例に挙げて説明する。図１は、本発明の第１実施形態に係る印刷装置１０の部分的な構成図である。図２は、図１に示す印刷装置の動作説明図であって、媒体の搬送に着目したものである。図３は、図２に示す印刷装置の一部を拡大した斜視図であって、プラテンのリブと媒体との関係を説明するための図である。図１に示すように、印刷装置１０は、液体の例示であるインクを印刷用紙等の媒体（噴射対象）１２に噴射する噴射面２６２を備えた液体噴射ヘッド２６と、この液体噴射ヘッド２６に対して、噴射面２６２に対向するように媒体１２を搬送する搬送機構２４と、印刷装置１０の各要素を統括的に制御する制御装置２２を備える。印刷装置１０には、インクを貯留する液体容器（カートリッジ）１４が装着され、液体容器１４から液体噴射ヘッド２６に向けてインクが供給されるようになっている。
【００１６】
搬送機構２４は、制御装置２２による制御のもとで媒体１２を搬送方向（第１の方向）であるＹ方向の正側に向けて搬送する。図１および図２に示すように、搬送機構２４は、第１ローラー２４２と第２ローラー２４４とを備える。第１ローラー２４２は、第２ローラー２４４からみてＹ方向の負側（媒体１２の搬送方向の上流側）に配置されて媒体１２を第２ローラー２４４側に搬送し、第２ローラー２４４は、第１ローラー２４２から供給される媒体１２をＹ方向の正側に向けて搬送する。ただし、搬送機構２４の構造は以上の例示に限定されない。
【００１７】
第１ローラー２４２と第２ローラー２４４との間には、液体噴射ヘッド２６の噴射面２６２と対向するように、プラテン２８が配置されている。図３に示すように、プラテン２８は、噴射面２６２と対向する対向面２８２を備え、この対向面２８２には、対向面２８２から突出するように、媒体１２の支持部としての複数のリブ２８４が形成されている。各リブ２８４は、搬送方向に沿って平行に延び、Ｘ方向に一定の間隔で離間して形成されている。媒体１２は、第１ローラー２４２と第２ローラー２４４によって噴射面２６５と対向面２８２との間を通るように、Ｙ方向の正側に向けて搬送される。このとき、媒体１２は、各リブ２８４で支持されながら搬送され、各リブ２８４の間隔で波打ち（コックリング）するように癖付けされる。具体的には図３に示すように、媒体１２は各リブ２８４上において、各リブ２８４が形成されている部分は盛り上がって山部１２２となり、これに対して各リブ２８４の間は谷部１２４となる。
【００１８】
ところで、図２の点線に示すように第１ローラー２４２と第２ローラー２４４との間で、媒体１２の先端部１２ａが変形（例えばカール）して搬送される場合がある。例えば媒体１２を順次に反転させて両面にインクを噴射する場合（両面印刷）を想定すると、片面のみにインクが噴射された状態で媒体１２の変形は特に顕在化する。片面が印刷された状態で充分にインクを乾燥させれば媒体１２の変形は抑制され得るが、例えば多数の媒体１２を短時間で印刷する高速印刷の実行時には充分な乾燥時間を確保することが実際には困難であり、液体噴射ヘッド２６側に変形した状態の媒体１２を搬送機構２４で搬送する必要がある。
【００１９】
この場合、図３に示すように、媒体１２の先端部１２ａは、各リブ２８４上で支持される部分の波打ち形状（コックリング形状）がそのまま先端部１２ａにも現れた状態で搬送される。具体的には、媒体１２において、各リブ２８４上で支持される部分の山部１２２は先端部１２ａの山部１２２ａとなって現れ、谷部１２４は先端部１２ａの谷部１２４ａとなって現れる。このため、媒体１２の先端部１２ａのカールが大きいと、液体噴射ヘッド２６の噴射面２６２に接触する虞があり、このとき噴射面２６２にインクが残留していると、媒体１２にインクが付着する可能性がある。
【００２０】
そこで、第１実施形態では、噴射面２６２から突出する突起部を形成して、突起部で媒体１２の浮き上がり抑えて、媒体１２が噴射面２６２に接触しないようにするようにしている。これにより、媒体１２にインクが付着することを効果的に抑制できる。特に図３に示すようにプラテン２８のリブ２８４で媒体１２が波打つように癖付けされていると、媒体１２の先端部１２ａの山部１２２やその近傍が噴射面２６２に接触し易くなることが分かる。このため、第１実施形態では逆にこれを利用して、噴射面２６２の突起部の配置位置を、プラテン２８のリブ２８４の配置位置に合わせることにより、これらの相乗効果で、媒体１２の浮き上がりを的確に抑えて、媒体１２が噴射面２６２に接触し難くなるようにしている。
【００２１】
ここで、このような突起部を備えた液体噴射ヘッド２６の具体的構成例について説明する。図４は、第１実施形態における液体噴射ヘッド２６の具体的構成例を示す図であって、噴射面２６２を下方（Ｚ方向の負側）から見た平面図である。なお、上記Ｘ方向とＹ方向からなるＸ-Ｙ平面に垂直な方向を以下ではＺ方向と表記する。液体噴射ヘッド２６によるインクの噴射方向（例えば鉛直方向の下向き）がＺ方向に相当する。また、液体噴射ヘッド２６の噴射面２６２のうち複数のノズルＮが分布する領域（以下「ノズル分布領域」という）Ｒの短手方向がＹ方向に相当し、ノズル分布領域Ｒの長手方向がＸ方向に相当する。
【００２２】
図４に示す液体噴射ヘッド２６は、Ｙ方向に直交するＸ方向（第２の方向）に長尺なラインヘッドであり、複数（ここでは６個）のヘッド部３０に分割されて構成される。各ヘッド部３０は、Ｘ-Ｙ平面に平行な状態で所定の間隔をあけて媒体１２に対向するように配置される。搬送機構２４による媒体１２の搬送に並行して液体噴射ヘッド２６が媒体１２にインクを噴射することで媒体１２の表面に所望の画像が形成される。各ヘッド部３０には、液体容器１４から供給されるインクを噴射する複数のノズルＮが設けられている。各ヘッド部３０は、ノズルＮが形成されたノズル板３２を含む複数の液体噴射部（ヘッドチップ）を固定板３４に取り付けて構成される。
【００２３】
具体的には図４の拡大図に示すように、固定板３４には複数の開口部３６が形成され、この開口部３６からノズルＮが露出するように、ノズル板３２を含む複数の液体噴射部が取り付けられる。各ノズルＮは、Ｘ方向に交差するＷ方向に沿って２列に配列される。図４に示すＷ方向は、Ｘ-Ｙ平面内でＸ方向およびＹ方向に対して所定の角度（例えば３０°以上かつ６０°以下の範囲内の角度）で傾斜する方向である。複数のノズルＮの位置は、Ｘ方向におけるピッチ（具体的には各ノズルＮの中心間の距離）ＰXがＹ方向におけるピッチＰYよりも狭くなるように選定される（ＰX＜ＰY）。以上の通り、媒体１２が搬送されるＹ方向に対して傾斜したＷ方向に複数のノズルＮが配列されるから、例えば複数のノズルＮをＸ方向に沿って配列した構成と比較して、媒体１２のＸ方向における実質的な解像度（ドット密度）を高めることが可能である。
【００２４】
図４に示す液体噴射ヘッド２６の突起部２６４は、各開口部３６の間に設けられる。突起部２６４は長尺状（直線状）に形成され、開口部３６と同様にＷ方向に沿って延在する。このように突起部２６４を各開口部３６の間に配置することで、開口部３６内に残留したインクが媒体１２に付着することを効果的に低減できる。ここでの突起部２６４は、Ｗ方向の長さ（全長）が、Ｗ方向における開口部３６の長さと同様の長さでノズル分布領域Ｒの内側に配置されるものと、開口部３６の長さよりも長くてノズル分布領域Ｒの外側まで延出するものが交互に配置される。突起部２６４は、固定板３４と一体に構成されてもよく、また別体で構成されてもよい。
【００２５】
ここで、液体噴射ヘッド２６の突起部２６４とプラテン２８のリブ（支持部）２８２との関係について説明する。図５及び図６は、第１実施形態における液体噴射ヘッド２６の噴射面２６２とプラテン２８の対向面２８２の構成を説明するための図であって、突起部２６４とリブ２８４との関係を示す断面図である。図６は図５に示すＡ−Ａ断面（固定板３４の開口部３６を含むＸ−Ｙ平面）で切断し、上方（Ｚ方向の正側）から見た図である。図５は、図６のＢ−Ｂ断面で切断した場合の断面図に相当する。
【００２６】
図５に示すように、突起部２６４は、噴射面２６２（各ヘッド部３０の固定板３４）からプラテン２８側（Ｚ方向の正側）に突出するように設けられている。これに対して、プラテン２８のリブ２８４は、噴射面２６２に対向する対向面２８２から噴射面２６２側（Ｚ方向の負側）に突出するように設けられている。これによれば、図５に示すように媒体１２を噴射面２６２の突起部２６４と、プラテン２８のリブ２８４とにより挟み込むことができるので、媒体１２の先端部１２ａがカールしていても、噴射面２６２に接触しないようにすることができる。これにより、噴射面２６２に残留しているインクが、媒体１２に付着することを抑制できる。
【００２７】
図６に示すように、第１実施形態における噴射面２６２の突起部２６４は、プラテン２８のリブ２８４に対して傾斜しており、Ｘ方向（突起部２６４とリブ２８４が配列する方向）において、少なくとも１つの突起部２６４が、Ｚ方向から見てリブ２８４と重なる部位を有するように配置されている。図６では、各リブ２８４にそれぞれ３つの突起部２６４が交差して重なる部位を有している。各リブ２８４において、搬送方向（Ｙ方向の正側）の最も上流側で突起部２６４と重なる位置を図中左から順番にＰ１、Ｐ２、Ｐ３、Ｐ４とすると、各々の断面上の位置は図５に示すＰ１、Ｐ２、Ｐ３、Ｐ４に相当する。図５に示すように、リブ２８４に支持されて搬送される媒体１２は、リブ２８４によって波打ち形状に癖付けされ、リブ２８４の位置Ｐ１、Ｐ２、Ｐ３、Ｐ４において先端部１２ａの波打ち形状が山部１２２ａになる。媒体１２の先端部１２ａがカールして浮き上がったときに、これらの媒体１２の山部１２２ａが最も噴射面２６２に近づくことになるので、噴射面２６２に最も接触し易い部分となる。
【００２８】
この点、第１実施形態では、リブ２８４の位置Ｐ１、Ｐ２、Ｐ３、Ｐ４で重なるように突起部２６４を配置することで、媒体１２の波打ち形状の山部１２２ａを突起部２６４で抑えることができる。このように、噴射面２６２に最も接触し易い媒体１２の山部１２２ａの浮き上がりを抑えることで、媒体１２が噴射面２６２に接触することを的確に抑制できるので、噴射面２６２に残留するインクが媒体１２に付着することを効果的に抑制できる。
【００２９】
また、図５に示すように、プラテン２８のリブ２８４が対向面２８２から突出する高さＨは、突起部２６４が噴射面２６２から突出する高さｈ（すなわち、噴射面２６２から突起部２６４の頂点までの高さ）よりも高い。このように、リブ２８４の高さが高いと、媒体１２の波打ち形状の山部１２２ａと谷部１２４ａをしっかり作ることができ、媒体１２を癖付けし易い。また、突起部２６４の高さが低いと、媒体１２と噴射面２６２との間隔を狭くすることができる。これにより、噴射されたインクの着弾位置ずれを低減できるので、印刷画質の劣化を低減できる。
【００３０】
また、図６に示すように、Ｘ方向（第２の方向）におけるプラテン２８のリブ（支持部）２８４の間隔Ｄは、Ｘ方向における液体噴射ヘッド２６の突起部２６４の間隔ｄよりも広い。これによれば、媒体１２が接触するプラテン２８のリブ２８４の数を少なくできるので、リブ２８４上を搬送される媒体１２がリブ２８４との接触抵抗によって搬送性が低下することを抑制できる。また、突起部２６４の数がリブ２８４よりも多くなるので、リブ２８４により癖付けされた媒体の波打ち形状の山部１２２ａに対して突起部２６４の数を多くすることができる。これにより、突起部２６４が媒体１２の波打ち形状の山部１２２ａに接触する部分も多くなるので、噴射面２６２への媒体１２の接触を抑制する効果を高めることができる。
【００３１】
また、図６に示すように、搬送方向（Ｙ方向）において、リブ２８４が設けられた領域Ｍは、突起部２６４が設けられた領域ｍを包含する。これにより、媒体１２が搬送される搬送方向の上流側（媒体１２が突起部２６４の領域ｍに入る部分）と下流側（媒体１２が突起部２６４の領域ｍから出る部分）においても、リブ２８４により媒体１２の癖付けを効果的に行うことができる。また、図６に示すように、Ｘ方向においてリブ２８４と重なる突起部２６４の部位（例えばＰ１乃至Ｐ４の部位）は、搬送方向（Ｙ方向）の上流側に寄っているので、媒体１２が突起部２６４以外の噴射面２６２に接触することを早期に抑制できる。また、図６に示すように、突起部２６４は搬送方向に対して傾斜して配置することにより、突起部２６４は搬送方向に沿って平行に配置した場合に比較して、突起部２６４全体の設置領域（設置面積）を搬送方向において小さくしつつ、突起部２６４が媒体１２に触れ易くすることができる。また、リブ２８４が搬送方向に対して平行に配置されることにより、媒体１２の癖付けが容易となり、搬送される媒体１２が搬送方向に対して傾斜した方向に進行（斜行）し難くなる。
【００３２】
なお、第１実施形態では、各リブ２８４に複数の突起部２６４が重なる場合を例に挙げたが、これに限られるものではなく、少なくとも１つの突起部２６４がリブ２８４と重なっていれば、全体として媒体１２の浮き上がりを抑えることができ、媒体１２が噴射面２６２に接触することを抑制できる。さらに、突起部２６４の位置は、媒体１２の山部１２２ａに一致する必要はなく、山部１２２ａの近傍であっても、全体として媒体１２の浮き上がりを抑えることができる。このため、突起部２６４とリブ２８４とは必ずしも重なっていなくてもよい。突起部２６４が媒体１２の谷部１２４ａだけに位置しないようにすればよい。この媒体１２の谷部１２４ａは、互いに隣合うリブ２８４の中間に形成されるから、この位置のみに突起部２６４が形成されることがないようにすればよい。以上によれば、媒体１２が噴射面２６２に接触することを抑制するためには、突起部２６４が、少なくとも、互いに隣合うリブ２８４の中間部（中央部）以外の位置と重なる部位を有するようにすればよい。
【００３３】
このように、Ｘ方向において、突起部２６４が少なくとも隣合うリブ２８４の中間以外の位置とＺ方向において重なる部位を有するように構成することで、媒体１２がカールした場合でも、突起部２６４には、Ｘ方向において媒体１２の波打ち形状の谷部１２４ａではなく、谷部以外の部分（例えば媒体の山部１２２ａや山部１２２ａの近傍）が接触して、媒体１２が噴射面２６２まで届かないようにすることができる。このように、媒体１２がカールしたときに噴射面２６２に接触し易い媒体１２の波打ち形状の山部１２２ａやその近傍の浮き上がりを、突起部２６４で的確に抑えることができる。これにより、例えば突起部２６４が、隣合うリブ２８４の中間部の位置のみと重なる場合（突起部２６４が媒体１２の波打ち形状の谷部１２４ａのみと重なる場合）に比較して、媒体１２の浮き上がりを効果的に抑えることができるので、噴射面２６２への媒体１２の接触を抑制する効果を高めることができる。このように、第１実施形態では、リブ２８４と突起部２６４との相乗効果によって媒体１２の浮き上がりを抑えることができるので、媒体１２が噴射面２６２に接触することを効果的に抑制できる。なお、突起部２６４の頂点の部位の位置が、媒体１２の山部１２２ａに一致する場合には、その効果はより顕著になる。
【００３４】
また、第１実施形態では、プラテン２８の各リブ２８４が搬送方向に対して平行である場合を例に挙げたが、これに限られるものではなく、例えば図７、図８に示すように搬送方向に対して傾斜していてもよい。図７は、プラテン２８の各リブ２８４が、搬送方向に対して傾斜していながら、突起部２６４に対しても傾斜している場合である。また図８は、プラテン２８の各リブ２８４が、搬送方向に対して傾斜していながら、突起部２６４に対しては平行の場合である。図６および図７の構成では、任意の１個のリブ２８４に複数の突起部２６４が交差して重なり、図８の構成では、任意の１個のリブ２８４に１つの突起部２６４が平行に重なる。これらによれば、突起部２６４とリブ２８４とが重なる位置は、図５に示すＰ１、Ｐ２、Ｐ３、Ｐ４の位置と同様に、媒体１２の波打ち形状が山部１２２ａを突起部２６４で抑えることができる。このように、噴射面２６２に最も接触し易い媒体１２の山部１２２ａの浮き上がりを抑えることで、媒体１２が噴射面２６２に接触することを的確に抑制することができる。
【００３５】
また、図７に示すように、プラテン２８の各リブ２８４を、搬送方向に対して傾斜しながら、突起部２６４に対しても傾斜するように配置させることで、より多くの突起部２６４を各リブ２８４に重ねることができる。これにより、搬送方向（Ｙ方向）に対して、リブ２８４と突起部２６４とで媒体１２の浮き上がりを抑える面積を増やすことができる。また、図８に示すように、プラテン２８の各リブ２８４を、搬送方向に対して傾斜しながら、突起部２６４に対しては平行になるように配置することで、搬送方向の上流側から下流側にかけて、リブ２８４と突起部２６４との間隔を同じにすることができる。これにより、搬送方向の上流側から下流側にかけて同じ間隔で、媒体１２の浮き上がりを抑えることができる。
【００３６】
また、図７（リブ２８４が突起部２６４に対して傾斜）及び図８（リブ２８４が突起部２６４に対して平行）においても、突起部２６４とリブ２８４とは必ずしも重なっていなくてもよい。突起部２６４が媒体１２の谷部１２４ａだけに位置しないようにすればよい。すなわち、突起部２６４が少なくとも隣合うリブ２８４の中間以外の位置と重なる部位を有するようにすればよい。これによっても、突起部２６４とリブ２８４との相乗効果で、全体として媒体１２の浮き上がりを抑えることができるので、媒体１２が噴射面２６２に接触することを抑制できる。
【００３７】
＜第２実施形態＞
本発明の第２実施形態を以下に説明する。なお、以下に例示する各形態において作用や機能が第１実施形態と同様である要素については、第１実施形態の説明で使用した符号を流用して各々の詳細な説明を適宜に省略する。第１実施形態では、噴射面２６２の突起部２６４が搬送方向（Ｙ方向）に対して傾斜するように配置した場合の例を挙げたが、第２実施形態では、噴射面２６２の突起部２６４が搬送方向（Ｙ方向）に対して平行になるように配置した場合の例を挙げる。図９は、第２実施形態における噴射面２６２と対向面２８２の構成を説明するための断面図であって、突起部２６４とリブ２８４との関係を示す図であり、図６に対応する。図９のプラテン２８のリブ２８４は、図６の場合と同様に、搬送方向（Ｙ方向）に対して互いに平行である。図９に示す液体噴射ヘッド２６は、複数のヘッド部３０を噴射面２６２のＸ方向に千鳥状に配列（いわゆるスタガ配置）したものである。噴射面２６２には、各ヘッド部３０ごとに、複数のノズルＮがＸ-Ｙ平面内に形成されている。
【００３８】
図９に示す噴射面２６２では、各ヘッド部３０のノズルＮが形成される領域の両側に、突起部２６４が形成される。図９に示す突起部２６４は、第１実施形態と同様に、噴射面２６２からプラテン２８の対向面２８２側に突出して形成される。図９によれば、プラテン２８の各リブ２８４に、複数の突起部２６４が交差してＺ方向から見て重なっている。これによれば、突起部２６４とリブ２８４とが重なる位置は、図５に示すＰ１、Ｐ２、Ｐ３、Ｐ４の位置と同様に、媒体１２の波打ち形状が山部１２２ａを突起部２６４で抑えることができる。このため、図９による構成によっても、噴射面２６２に最も接触し易い媒体１２の山部１２２ａの浮き上がりを抑えることで、媒体１２が噴射面２６２に接触することを的確に抑制することができる。
【００３９】
また、第２実施形態においても、突起部２６４とリブ２８４とは必ずしも重なっていなくてもよい。突起部２６４が媒体１２の谷部１２４ａだけに位置しないようにすればよい。すなわち、突起部２６４が少なくとも隣合うリブ２８４の中間以外の位置と重なる部位を有するようにすればよい。これによっても、突起部２６４とリブ２８４との相乗効果で、全体として媒体１２の浮き上がりを抑えることができるので、媒体１２が噴射面２６２に接触することを抑制できる。なお、図９においては、リブ２８４を搬送方向（Ｙ方向）に対して平行に配置した場合を例に挙げたが、これに限られるものではなく、搬送方向（Ｙ方向）に対して傾斜していてもよい。突起部２６４についても、このようなリブ２８４に対して、傾斜していてもよく、平行であってもよい。リブ２８４と突起部２６４とが両方とも、搬送方向（Ｙ方向の正側）に対して傾斜していてもよい。なお、図９の噴射面２６２は、第１実施形態のようにノズルＮを形成したノズル板を固定する固定板であってもよく、またノズル板そのものであってもよい。
【００４０】
＜第３実施形態＞
本発明の第３実施形態を以下に説明する。第３実施形態では、プラテン２８のリブ２８４の間隔を、噴射面２６２の突起部２６４の間隔よりも狭くした場合を例に挙げる。図１０は、第３実施形態における噴射面２６２と対向面２８２の構成を説明するための断面図であって、突起部２６４とリブ２８４との関係を示す図であり、図６に対応する。図１０のプラテン２８のリブ２８４は、図６の場合と同様に、搬送方向（Ｙ方向）に対して互いに平行である。図１０に示す液体噴射ヘッド２６は、図６乃至図９とは別の構成のものを例に挙げているが、同様の構成であってもよい。
【００４１】
図１０に示す噴射面２６２には、複数のノズル分布領域ＬがＸ方向に配列されている。各ノズル分布領域Ｌは、平面視で台形状（具体的には等脚台形）の領域であり、Ｘ方向に相互に隣合う各ノズル分布領域Ｌの間ではその台形状領域の上底と下底との位置関係が反転する。各ノズル分布領域Ｌには、Ｘ方向およびＹ方向にわたり複数のノズルＮが形成される。図１０に示す液体噴射ヘッド２６は複数の貯留室ＳRを具備する。各貯留室ＳRは、複数のノズルＮから噴射されるインクを貯留する空間である。具体的には、平面視で（噴射面に垂直な方向からみて）各ノズル分布領域Ｌの頂点に対応した位置に貯留室ＳRが形成される。貯留室ＳRから複数の流路に分配されたインクが各ノズルＮから噴射される。
【００４２】
図１０に示す噴射面２６２では、各ノズル分布領域Ｌの間に、突起部２６４が形成される。図１０に示す突起部２６４は、第１実施形態と同様に、噴射面２６２からプラテン２８の対向面２８２側に突出して形成される。ここでの各ノズル分布領域Ｌは台形状であり交互に反転して配置されているため、その台形状領域の側部の傾斜に沿って、各突起部２６４も交互に傾きが反転しながら傾斜して配置される。図１０に示す突起部２６４の長さについては、噴射面２６２の両側に位置する突起部２６４はノズル分布領域Ｌの長さであり、各ノズル分布領域Ｌの間に位置する突起部２６４は両端に位置する突起部２６４よりも短く形成されている。これによれば、各ノズル分布領域Ｌの間では突起部２６４の形成用のスペースを確保する必要がないから、各ノズル分布領域Ｌを相互に近接して配置することで複数のノズルＮを高密度に配置できるという利点がある。ただし、各ノズル分布領域Ｌの間に位置する突起部２６４を、両端に位置する突起部２６４と同様の長さにしてもよい。
【００４３】
図１０によれば、プラテン２８の各リブ２８４に、複数の突起部２６４が交差して重なっている。これによれば、突起部２６４とリブ２８４とが重なる位置は、図５に示すＰ１、Ｐ２、Ｐ３、Ｐ４の位置と同様に、媒体１２の波打ち形状が山部１２２ａを突起部２６４で抑えることができる。このため、図１０による構成によっても、噴射面２６２に最も接触し易い媒体１２の山部１２２ａの浮き上がりを抑えることで、媒体１２が噴射面２６２に接触することを的確に抑制することができる。
【００４４】
また、図１０によれば、プラテン２８のリブ２８４の間隔が、噴射面２６２の突起部２６４の間隔よりも狭いので、リブ２８４の間隔が広い場合に比較して、媒体１２の過度な波打ちが抑制される。これにより、突起部２６４とリブ２８４とで媒体１２の浮き上がりを抑制し易くすることができる。なお、図１０の噴射面２６２は、第１実施形態のようにノズルＮを形成したノズル板を固定する固定板であってもよく、またノズル板そのものであってもよい。
【００４５】
以上に例示した第１乃至第３実施形態は、液体噴射ヘッドの噴射面から突出する突起部と、プラテンの対向面から突出するリブ（支持部）とが設置された構成として包括的に表現され、噴射面や対向面を形成する部材の機能や用途は不問である。第１乃至第３実施形態のように、固定板で噴射面が形成されるか、ノズル板で噴射面が形成されるかに関わらず、前述の各実施形態で例示した各種の構成（例えば突起部等）が同様に適用される。
【００４６】
＜変形例＞
以上に例示した形態は多様に変形され得る。具体的な変形の態様を以下に例示する。以下の例示から任意に選択された２以上の態様は、相互に矛盾しない範囲で適宜に併合され得る。
【００４７】
（１）液体噴射ヘッド２６の突起部２６４の形状（長さや断面）は、上述した第１乃至第３実施形態の例示には限定されるものではない。例えば突起部２６４の断面形状は、矩形状（長方形状）であっても、三角形であっても、半円状であってもよい。突起部２６４の長さは、図６に示すように交互に長さを変えるようにしてもよく、またすべての突起部２６４を同じ長さにしてもよい。また、突起部２６４の長さは、リブ２８４に近いほど長くしてもよい。これによれば、突起部２６４とリブ２８４が重なる位置を増やすことができる。
【００４８】
（２）プラテン２８のリブ（支持部）２８４の形状（長さや断面）は、上述した第１乃至第３実施形態の例示には限定されるものではない。例えばリブ２８４の断面形状は、矩形状（長方形状）であっても、三角形であっても、半円状であってもよい。各リブ２８４の長さは、必ずしも同じ長さでなくてもよい。例えば長いリブと短いリブを交互に設けてもよい。また、第１乃至第３実施形態では、リブ２８４の長さを、プラテン２８の搬送方向の幅よりも若干長めにしているが、これに限られず、プラテン２８の搬送方向の幅よりも短くてもよい。
【００４９】
（３）以上の各形態で例示した印刷装置１０は、印刷に専用される機器のほか、ファクシミリ装置やコピー機等の各種の機器に採用され得る。もっとも、本発明の液体噴射装置の用途は印刷に限定されない。例えば、色材の溶液を噴射する液体噴射装置は、液晶表示装置のカラーフィルターを形成する製造装置として利用される。また、導電材料の溶液を噴射する液体噴射装置は、配線基板の配線や電極を形成する製造装置として利用される。
【符号の説明】
【００５０】
１０……印刷装置、１２……媒体、１２ａ……先端部、１２２、１２２ａ……山部、１２４、１２４ａ……谷部、１４……液体容器、２２……制御装置、２４……搬送機構、２６……液体噴射ヘッド、２６２……噴射面、２６４……突起部、２８……プラテン、２８２……対向面、２８４……リブ、３０……ヘッド部、３２……ノズル板、３４……固定板、３６……開口部、３８……突起部、Ｌ……ノズル分布領域、Ｒ……ノズル分布領域、ＳR……貯留室。
【図１】
0006528492.tif 000002
【図２】
0006528492.tif 000003
【図３】
0006528492.tif 000004
【図４】
0006528492.tif 000005
【図５】
0006528492.tif 000006
【図６】
0006528492.tif 000007
【図７】
0006528492.tif 000008
【図８】
0006528492.tif 000009
【図９】
0006528492.tif 000010
【図１０】
0006528492.tif 000011